(57)【要約】【課題】コストを抑えつつ、子供等の身長の低い利用者でも釦操作を容易に実行することができるエレベーターの操作盤の提供。【解決手段】制御装置５から指示される運転方向が下降運転方向である場合に、行先階釦１１Ｃ，１２Ｃ，１３Ｃ，１４Ｃのうち下方に配置された行先階釦程、下層階への行先階釦の入力信号に設定し、制御装置５から指示される運転方向が上昇運転方向である場合に、行先階釦１１Ｃ，１２Ｃ，１３Ｃ，１４Ｃのうち下方に配置された行先階釦程、上層階への行先階釦の入力信号に設定する行先階釦信号入力切替装置２３と、行先階釦１１Ｃ，１２Ｃ，１３Ｃ，１４Ｃの行先階を表示する表示装置１５と、制御装置５から指示される運転方向に応じて、表示装置１５によって表示される行先階釦の行先階を行先階釦信号入力切替装置２３によって設定された行先階に切替える表示切替装置２２とを備えた。【選択図】図１
2014034449.tif 000002
【特許請求の範囲】
【請求項１】
建物の昇降路内を昇降する乗りかごと、この乗りかごの昇降動作を制御する制御装置とを有するエレベーターの乗りかご内に設けられ、上下に配置され、前記乗りかごの行先階を指定する複数の行先階釦を備えたエレベーターの操作盤において、
前記制御装置から指示される運転方向が下降運転方向である場合に、前記複数の行先階釦のうち下方に配置された行先階釦程、下層階への行先階釦の入力信号に設定し、前記制御装置から指示される運転方向が上昇運転方向である場合に、前記複数の行先階釦のうち下方に配置された行先階釦程、上層階への行先階釦の入力信号に設定する行先階釦信号入力切替装置と、
前記行先階釦の行先階を表示する表示装置と、
前記制御装置から指示される運転方向に応じて、前記表示装置によって表示される前記行先階釦の行先階を前記行先階釦信号入力切替装置によって設定された行先階に切替える表示切替装置とを備えたことを特徴とするエレベーターの操作盤。
【発明の詳細な説明】
【技術分野】
【０００１】
本発明は、エレベーターの乗かご内に設けられた操作盤に関する。
【背景技術】
【０００２】
マンション等の建物に設置されているエレベーターでは、大人や子供、身長の高い人や低い人といった様々な利用者が利用する。例えば、高層マンションにおいて、子供あるいは身長の低い利用者が高層階への行先階を指定する場合、例えば高層階への行先階釦が操作盤の上部に配置されていれば、子供あるいは身長の低い利用者の手が行先階釦に届かないことがあり、子供あるいは身長の低い利用者はこの行先階釦を押圧することができない場合が発生する。従って、建物によっては利用者の要望により、乗りかご内に釦押棒が設置されているエレベーターがある。
【０００３】
このような問題を解決するために、乗場呼び釦とは別に、建物の乗場に子供を対象として操作される子供用釦、及び操作盤の行先階釦の配置を設定する切替釦を設け、子供用釦が押されることにより、操作盤の釦配置を変更するようにしたエレベーターが提案されている（例えば、特許文献１参照）。
【先行技術文献】
【特許文献】
【０００４】
【特許文献１】特開２０１１−５１７１２号公報
【発明の概要】
【発明が解決しようとする課題】
【０００５】
しかし、特許文献１に開示された従来技術のエレベーターでは、子供等の身長の低い利用者でも子供用釦を押し下げることによって釦操作を実行することができるが、上述したように建物の全ての階の乗場に通常の乗場呼び釦以外に子供用釦と操作盤の行先階釦の配置を設定する切替釦を必要とするので、これらの釦を設置するのにコストがかかることが問題になっている。
【０００６】
また、従来技術のエレベーターでは、操作方法が複雑であるので、エレベーターの利用者が切替釦の利用方法を知っていることが前提となる。そのため、例えば初めて子供用釦及び切替釦が設置された建物のエレベーターに乗り込んだ場合には、子供等の利用者がこの設置された釦の利用方法を知らなかったり、あるいは分からないことがあるので、子供用の切替釦の効果を発揮することができない虞がある。
【０００７】
本発明は、このような従来技術の実情からなされたもので、その目的は、コストを抑えつつ、子供等の身長の低い利用者でも釦操作を容易に実行することができるエレベーターの操作盤を提供することにある。
【課題を解決するための手段】
【０００８】
上記の目的を達成するために、本発明のエレベーターの操作盤は、建物の昇降路内を昇降する乗りかごと、この乗りかごの昇降動作を制御する制御装置とを有するエレベーターの乗りかご内に設けられ、上下に配置され、前記乗りかごの行先階を指定する複数の行先階釦を備えたエレベーターの操作盤において、前記制御装置から指示される運転方向が下降運転方向である場合に、前記複数の行先階釦のうち下方に配置された行先階釦程、下層階への行先階釦の入力信号に設定し、前記制御装置から指示される運転方向が上昇運転方向である場合に、前記複数の行先階釦のうち下方に配置された行先階釦程、上層階への行先階釦の入力信号に設定する行先階釦信号入力切替装置と、前記行先階釦の行先階を表示する表示装置と、前記制御装置から指示される運転方向に応じて、前記表示装置によって表示される前記行先階釦の行先階を前記行先階釦信号入力切替装置によって設定された行先階に切替える表示切替装置とを備えたことを特徴としている。
【発明の効果】
【０００９】
本発明のエレベーターの操作盤によれば、コストを抑えつつ、子供等の身長の低い利用者でも釦操作を容易に実行することができる。前述した以外の課題、構成及び効果は、以下の実施形態の説明により明らかにされる。
【図面の簡単な説明】
【００１０】
【図１】本発明に係るエレベーターの操作盤の一実施形態の構成を示す図である。
【図２】本実施形態の動作を示すフローチャートである。
【発明を実施するための形態】
【００１１】
以下、本発明に係るエレベーターの操作盤を実施するための形態を図に基づいて説明する。
【００１２】
本発明に係るエレベーターの操作盤の一実施形態は、例えば図１に示すように建物に設置されたエレベーターに設けられる。具体的には、このエレベーターは、例えば昇降路１Ａ内を昇降する乗りかご１を有し、本実施形態に係る操作盤１０は、例えば乗りかご１内に乗車した利用者が操作するために乗りかご１内の側壁に設置されている。なお、本実施形態では、エレベーターが設置された建物は、例えば４階建の構造になっている。
【００１３】
また、エレベーターは、例えば昇降路１Ａの上方に位置する機械室１Ｂに設けられたトラクションマシン４と、一端が乗りかご１に取付けられ、トラクションマシン４に巻き掛けられたメインロープ２と、このメインロープ２の他端が取り付けられ、昇降路１Ａ内に吊り下げられたつり合い錘３と、機械室１Ｂに設けられ、乗りかご１の昇降動作を制御する制御装置５とを有している。そして、制御装置５は、操作盤１０の操作に応じてトラクションマシン４を回転駆動させることにより、乗りかご１をつり合い錘３に対して相対的に昇降させるようにしている。
【００１４】
本実施形態に係る操作盤１０は、上下に配置され、乗りかご１の行先階を指定する複数の行先階釦を備えている。これらの複数の行先階釦は、例えば上下に１列に並んで配列された４つの押釦から成り、便宜的に下から上に向かって順に第１の行先階釦１１Ｃ、第２の行先階釦１２Ｃ、第３の行先階釦１３Ｃ、第４の行先階釦１４Ｃと呼ぶこととする。
【００１５】
これらの第１の行先階釦１１Ｃ、第２の行先階釦１２Ｃ、第３の行先階釦１３Ｃ、及び第４の行先階釦１４Ｃは押下されることにより、後述するように指定された行先階を指定するようになっており、制御装置５は指定された行先階への行先階釦の入力信号を受信してトラクションマシン４を回転駆動させるようにしている。
【００１６】
また、本実施形態に係る操作盤１０は、上述の行先階釦１１Ｃ，１２Ｃ，１３Ｃ，１４Ｃの行先階を表示する表示装置１５と、エレベーターの運転方向のうち上昇運転方向を点灯することで示す上昇方向灯１６と、エレベーターの運転方向のうち下降運転方向を点灯することで示す下降方向灯１７と、乗りかご１のドア（図示せず）の開扉動作を行う開釦１８と、乗りかご１のドアの閉扉動作を行う閉釦１９とを備えている。
【００１７】
表示装置１５は、例えば第１の行先階釦１１Ｃ、第２の行先階釦１２Ｃ、第３の行先階釦１３Ｃ、及び第４の行先階釦１４Ｃに隣接する位置に分離して配設され、これらの各行先階釦１１Ｃ，１２Ｃ，１３Ｃ，１４Ｃの隣の位置で１〜４を示す数字を表示することにより、各行先階釦１１Ｃ，１２Ｃ，１３Ｃ，１４Ｃの行先階を示すようになっている。
【００１８】
ここで、建物の最下階である１階の乗場には、上層階へ行くために乗りかご１を呼び寄せる上昇乗場呼び釦１１Ｕが設置されている。また、建物の２階と３階の乗場には、上層階へ行くために乗りかご１を呼び寄せる上昇乗場呼び釦１２Ｕ，１３Ｕがそれぞれ設置されると共に、下層階へ行くために乗りかご１を呼び寄せる下降乗場呼び釦１２Ｄ，１３Ｄがそれぞれ設置されている。さらに、建物の最上階である４階の乗場には、下層階へ行くために乗りかご１を呼び寄せる下降乗場呼び釦１４Ｄが設置されている。
【００１９】
本実施形態に係る操作盤１０は、例えば操作盤１０自体の動作を制御する操作盤制御装置２０が組み込まれており、この操作盤制御装置２０は、制御装置５から指示される運転方向が下降運転方向である場合に、複数の行先階釦１１Ｃ，１２Ｃ，１３Ｃ，１４Ｃのうち下方に配置された行先階釦程、下層階への行先階釦の入力信号に設定し、制御装置５から指示される運転方向が上昇運転方向である場合に、複数の行先階釦１１Ｃ，１２Ｃ，１３Ｃ，１４Ｃのうち下方に配置された行先階釦程、上層階の行先階釦の入力信号に設定する行先階釦信号入力切替装置２３を有している。
【００２０】
また、操作盤制御装置２０は、制御装置５から指示される運転方向に応じて、表示装置１５によって表示される行先階釦１１Ｃ，１２Ｃ，１３Ｃ，１４Ｃの行先階を行先階釦信号入力切替装置２３によって設定された行先階に切替える表示切替装置２２を備えている。なお、本実施形態では、行先階釦信号入力切替装置２３と表示切替装置２２との間に、例えば通信を行う通信手段２１が接続されており、この通信手段２１は制御装置５と通信線（図示せず）で接続されて必要な制御信号の送受信を行うようになっている。
【００２１】
すなわち、制御装置５は、建物の各階の乗場で待機する利用者が上昇乗場呼び釦１１Ｕ，１２Ｕ，１３Ｕ、下降乗場呼び釦１２Ｄ，１３Ｄ，１４Ｄを押下して呼び登録が行われると、この呼び登録に基づいてエレベーターの運転方向が上昇運転方向であるのか、あるいは下降運転方向であるのかどうかを判断し、判断した運転方向を示す信号、すなわち上昇運転方向を示す上昇運転方向信号又は下降運転方向を示す下降運転方向信号を操作盤制御装置２０へ送信するようにしている。そして、操作盤制御装置２０が制御装置５から上昇運転方向信号を受信したときには、上昇方向灯１６を点灯させ、操作盤制御装置２０が制御装置５から下降運転方向信号を受信したときには、下降方向灯１７を点灯させるようにしている。
【００２２】
さらに、操作盤制御装置２０が制御装置５から上昇運転方向信号を受信したときには、操作盤制御装置２０の行先階釦信号入力切替装置２３は、下から上に向かって順に配列された各第１の行先階釦１１Ｃ、第２の行先階釦１２Ｃ、第３の行先階釦１３Ｃ、及び第４の行先階釦１４Ｃの入力信号を、最上階である４階への行先階釦の入力信号、４階よりも下層階である３階への行先階釦の入力信号、３階よりも下層階である２階への行先階釦の入力信号、最下階である１階への行先階の入力信号に設定するようにしている。
【００２３】
また、操作盤制御装置２０が制御装置５から上昇運転方向信号を受信したときには、操作盤制御装置２０の表示切替装置２２は、各第１の行先階釦１１Ｃ、第２の行先階釦１２Ｃ、第３の行先階釦１３Ｃ、及び第４の行先階釦１４Ｃの入力信号に対応するように、表示装置１５の階床表示を下から上に向かって順に４、３、２、１と表示させるようにしている。
【００２４】
一方、操作盤制御装置２０が制御装置５から下降運転方向信号を受信したときには、操作盤制御装置２０の行先階釦信号入力切替装置２３は、下から上に向かって順に配列された各第１の行先階釦１１Ｃ、第２の行先階釦１２Ｃ、第３の行先階釦１３Ｃ、及び第４の行先階釦１４Ｃの入力信号を、最下階である１階への行先階釦の入力信号、１階よりも上層階である２階への行先階釦の入力信号、２階よりも上層階である３階への行先階釦の入力信号、最上階である４階への行先階の入力信号に設定するようにしている。
【００２５】
また、操作盤制御装置２０が制御装置５から下降運転方向信号を受信したときには、操作盤制御装置２０の表示切替装置２２は、各第１の行先階釦１１Ｃ、第２の行先階釦１２Ｃ、第３の行先階釦１３Ｃ、及び第４の行先階釦１４Ｃの入力信号に対応するように、表示装置１５の階床表示を下から上に向かって順に１、２、３、４と表示させるようにしている。
【００２６】
なお、エレベーターの利用者は、現在待機している階より上方の階へ行きたい場合には、上昇乗場呼び釦１１Ｕ，１２Ｕ，１３Ｕを操作することにより、乗りかご１が上昇乗場呼び釦１１Ｕ，１２Ｕ，１３Ｕの呼び登録があった階に向かって昇降路１Ａ内を昇降し、乗りかご１の到着後にエレベーターは上昇運転を行うことになる。また、利用者は、現在待機している階より下方の階へ行きたい場合には、下降乗場呼び釦１２Ｄ，１３Ｄ，１４Ｄを操作することにより、乗りかご１が下降乗場呼び釦１２Ｄ，１３Ｄ，１４Ｄの呼び登録があった階に向かって昇降路１Ａ内を昇降し、乗りかご１の到着後にエレベーターは下降運転を行うことになる。
【００２７】
次に、本実施形態の動作を図２のフローチャートに基づいて詳細に説明する。
【００２８】
図２は本実施形態の動作を示すフローチャートである。
【００２９】
本実施形態では、まず図２に示すように制御装置５は、上昇乗場呼び釦１１Ｕ，１２Ｕ，１３Ｕ、下降乗場呼び釦１２Ｄ，１３Ｄ，１４Ｄが操作されたかどうか、すなわち上昇乗場呼び釦１１Ｕ，１２Ｕ，１３Ｕ、下降乗場呼び釦１２Ｄ，１３Ｄ，１４Ｄの呼び登録があったかどうかを確認する（ステップ（以下、Ｓと記す）１０）。
【００３０】
このとき、制御装置５は、上昇乗場呼び釦１１Ｕ，１２Ｕ，１３Ｕ、下降乗場呼び釦１２Ｄ，１３Ｄ，１４Ｄが操作されていない、すなわち上昇乗場呼び釦１１Ｕ，１２Ｕ，１３Ｕ、下降乗場呼び釦１２Ｄ，１３Ｄ，１４Ｄの呼び登録がなかったことを確認すると、手順Ｓ１０の動作を繰返し行う。
【００３１】
一方、手順Ｓ１０において制御装置５は、上昇乗場呼び釦１１Ｕ，１２Ｕ，１３Ｕ、下降乗場呼び釦１２Ｄ，１３Ｄ，１４Ｄが操作された、すなわち上昇乗場呼び釦１１Ｕ，１２Ｕ，１３Ｕ、下降乗場呼び釦１２Ｄ，１３Ｄ，１４Ｄの呼び登録があったことを確認すると、上昇乗場呼び釦１１Ｕ，１２Ｕ，１３Ｕ、下降乗場呼び釦１２Ｄ，１３Ｄ，１４Ｄが操作された階へ乗りかご１を走行させる（Ｓ１１）。
【００３２】
次に、制御装置５は、乗りかご１が上昇乗場呼び釦１１Ｕ，１２Ｕ，１３Ｕ、下降乗場呼び釦１２Ｄ，１３Ｄ，１４Ｄが操作された階へ到着したかどうかを確認する（Ｓ１２）。このとき、制御装置５は、乗りかご１が上昇乗場呼び釦１１Ｕ，１２Ｕ，１３Ｕ、下降乗場呼び釦１２Ｄ，１３Ｄ，１４Ｄが操作された階へ到着していないことを確認すると、手順Ｓ１２の動作を繰返し行う。
【００３３】
一方、手順Ｓ１２において制御装置５は、乗りかご１が上昇乗場呼び釦１１Ｕ，１２Ｕ，１３Ｕ、下降乗場呼び釦１２Ｄ，１３Ｄ，１４Ｄが操作された階へ到着したことを確認すると、乗りかご１が停止するので（Ｓ１２ｘ）、上昇乗場呼び釦１１Ｕ，１２Ｕ，１３Ｕ、下降乗場呼び釦１２Ｄ，１３Ｄ，１４Ｄの呼び登録に基づいてエレベーターの運転方向が上昇運転方向であるのか、あるいは下降運転方向であるのかどうかを判断し、上昇運転方向信号又は下降運転方向信号を操作盤制御装置２０へ送信すると共に、ドアを開かせる。そして、乗場で待機していた利用者が乗りかご１内へ乗り込んで、操作盤１０を操作して行先階を指定する。
【００３４】
次に、操作盤制御装置２０は、制御装置５から上昇運転方向信号を受信したのか、あるいは下降運転方向信号を受信したのかどうかを確認する（Ｓ１３）。このとき、操作盤制御装置２０は、制御装置５から上昇運転方向信号を受信したことを確認した場合には、エレベーターの運転を上昇運転に設定し（Ｓ１４ａ）、上昇方向灯１６を点灯させる。なお、通常、乗りかご１は上昇乗場呼び釦１１Ｕ，１２Ｕ，１３Ｕ、下降乗場呼び釦１２Ｄ，１３Ｄ，１４Ｄの呼び登録に応じて停止する場合には、この呼び登録の運転方向に走行するように準備して停止する。
【００３５】
次に、操作盤制御装置２０の行先階釦信号入力切替装置２３は、下から上に向かって順に配列された各第１の行先階釦１１Ｃ、第２の行先階釦１２Ｃ、第３の行先階釦１３Ｃ、及び第４の行先階釦１４Ｃの入力信号を、最上階である４階への行先階釦の入力信号、４階よりも下層階である３階への行先階釦の入力信号、３階よりも下層階である２階への行先階釦の入力信号、最下階である１階への行先階の入力信号に設定する。
【００３６】
また、操作盤制御装置２０の表示切替装置２２は、各第１の行先階釦１１Ｃ、第２の行先階釦１２Ｃ、第３の行先階釦１３Ｃ、及び第４の行先階釦１４Ｃの入力信号に対応するように、表示装置１５の階床表示を下から上に向かって順に４、３、２、１と表示させる（Ｓ１５ａ）。
【００３７】
ここで、乗りかご１内に乗り込んだ利用者が操作盤１０の行先階釦１１Ｃ，１２Ｃ，１３Ｃ，１４Ｃのうち最下部の第１の行先階釦１１Ｃを押下した場合には（手順Ｓ１６ａでＹｅｓ）、行先階として４階が指定されるので、操作盤制御装置２０の通信手段２１は、行先階として４階を指定する旨の行先階信号を制御装置５へ送信する。制御装置５は、この行先階信号を受信すると、行先階を４階に設定する（Ｓ２０ａ）。
【００３８】
乗りかご１内に乗り込んだ利用者が操作盤１０の行先階釦１１Ｃ，１２Ｃ，１３Ｃ，１４Ｃのうち下から２番目の第２の行先階釦１２Ｃを押下した場合には（手順Ｓ１６ａでＮｏ、手順Ｓ１７ａでＹｅｓ）、行先階として３階が指定されるので、操作盤制御装置２０の通信手段２１は、行先階として３階を指定する旨の行先階信号を制御装置５へ送信する。制御装置５は、この行先階信号を受信すると、行先階を３階に設定する（Ｓ２１ａ）。
【００３９】
乗りかご１内に乗り込んだ利用者が操作盤１０の行先階釦１１Ｃ，１２Ｃ，１３Ｃ，１４Ｃのうち下から３番目の第３の行先階釦１３Ｃを押下した場合には（手順Ｓ１６ａでＮｏ、手順Ｓ１７ａでＮｏ、手順Ｓ１８ａでＹｅｓ）、行先階として２階が指定されるので、操作盤制御装置２０の通信手段２１は、行先階として２階を指定する旨の行先階信号を制御装置５へ送信する。制御装置５は、この行先階信号を受信すると、行先階を２階に設定する（Ｓ２２ａ）。
【００４０】
乗りかご１内に乗り込んだ利用者が操作盤１０の行先階釦１１Ｃ，１２Ｃ，１３Ｃ，１４Ｃのうち最上部の第４の行先階釦１４Ｃを押下した場合には（手順Ｓ１６ａでＮｏ、手順Ｓ１７ａでＮｏ、手順Ｓ１８ａでＮｏ、手順Ｓ１９でＹｅｓ）、行先階として１階が指定されるので、操作盤制御装置２０の通信手段２１は、行先階として１階を指定する旨の行先階信号を制御装置５へ送信する。制御装置５は、この行先階信号を受信すると、行先階を１階に設定する（Ｓ２３ａ）。
【００４１】
なお、第１の行先階釦１１Ｃ、第２の行先階釦１２Ｃ、第３の行先階釦１３Ｃ、及び第４の行先階釦１４Ｃのいずれも操作されなかった場合には（手順Ｓ１６ａでＮｏ、手順Ｓ１７ａでＮｏ、手順Ｓ１８ａでＮｏ、手順Ｓ１９ａでＮｏ）、第１の行先階釦１１Ｃ、第２の行先階釦１２Ｃ、第３の行先階釦１３Ｃ、及び第４の行先階釦１４Ｃのいずれかが操作されるまで次の動作が行われない。
【００４２】
一方、手順Ｓ１３において操作盤制御装置２０は、制御装置５から下降運転方向信号を受信したことを確認した場合には、エレベーターの運転を下降運転に設定し（Ｓ１４ｂ）、下降方向灯１７を点灯させる。そして、操作盤制御装置２０の行先階釦信号入力切替装置２３は、下から上に向かって順に配列された各第１の行先階釦１１Ｃ、第２の行先階釦１２Ｃ、第３の行先階釦１３Ｃ、及び第４の行先階釦１４Ｃの入力信号を、最下階である１階への行先階釦の入力信号、１階よりも上層階である２階への行先階釦の入力信号、２階よりも上層階である３階への行先階釦の入力信号、最上階である４階への行先階釦の入力信号に設定する。
【００４３】
また、操作盤制御装置２０の表示切替装置２２は、各第１の行先階釦１１Ｃ、第２の行先階釦１２Ｃ、第３の行先階釦１３Ｃ、及び第４の行先階釦１４Ｃの入力信号に対応するように、表示装置１５の階床表示を下から上に向かって順に１、２、３、４と表示させる（Ｓ１５ｂ）。
【００４４】
ここで、乗りかご１内に乗り込んだ利用者が操作盤１０の行先階釦１１Ｃ，１２Ｃ，１３Ｃ，１４Ｃのうち最下部の第１の行先階釦１１Ｃを押下した場合には（手順Ｓ１９ｂでＮｏ、手順Ｓ１８ｂでＮｏ、手順Ｓ１７ｂでＮｏ、手順Ｓ１６ｂでＹｅｓ）、行先階として１階が指定されるので、操作盤制御装置２０の通信手段２１は、行先階として１階を指定する旨の行先階信号を制御装置５へ送信する。制御装置５は、この行先階信号を受信すると、行先階を１階に設定する（Ｓ２０ｂ）。
【００４５】
乗りかご１内に乗り込んだ利用者が操作盤１０の行先階釦１１Ｃ，１２Ｃ，１３Ｃ，１４Ｃのうち下から２番目の第２の行先階釦１２Ｃを押下した場合には（手順Ｓ１９ｂでＮｏ、手順Ｓ１８ｂでＮｏ、手順Ｓ１７ｂでＹｅｓ）、行先階として２階が指定されるので、操作盤制御装置２０の通信手段２１は、行先階として２階を指定する旨の行先階信号を制御装置５へ送信する。制御装置５は、この行先階信号を受信すると、行先階を２階に設定する（Ｓ２１ｂ）。
【００４６】
乗りかご１内に乗り込んだ利用者が操作盤１０の行先階釦１１Ｃ，１２Ｃ，１３Ｃ，１４Ｃのうち下から３番目の第３の行先階釦１３Ｃを押下した場合には（手順Ｓ１９ｂでＮｏ、手順Ｓ１８ｂでＹｅｓ）、行先階として３階が指定されるので、操作盤制御装置２０の通信手段２１は、行先階として３階を指定する旨の行先階信号を制御装置５へ送信する。制御装置５は、この行先階信号を受信すると、行先階を３階に設定する（Ｓ２２ｂ）。
【００４７】
乗りかご１内に乗り込んだ利用者が操作盤１０の行先階釦１１Ｃ，１２Ｃ，１３Ｃ，１４Ｃのうち最上部の第４の行先階釦１４Ｃを押下した場合には（手順Ｓ１９ｂでＹｅｓ）、行先階として４階が指定されるので、操作盤制御装置２０の通信手段２１は、行先階として４階を指定する旨の行先階信号を制御装置５へ送信する。制御装置５は、この行先階信号を受信すると、行先階を４階に設定する（Ｓ２３ｂ）。
【００４８】
なお、第１の行先階釦１１Ｃ、第２の行先階釦１２Ｃ、第３の行先階釦１３Ｃ、及び第４の行先階釦１４Ｃのいずれも操作されなかった場合には（手順Ｓ１９ｂでＮｏ、手順Ｓ１８ｂでＮｏ、手順Ｓ１７ｂでＮｏ、手順Ｓ１６ｂでＮｏ）、第１の行先階釦１１Ｃ、第２の行先階釦１２Ｃ、第３の行先階釦１３Ｃ、及び第４の行先階釦１４Ｃのいずれかが操作されるまで次の動作が行われない。
【００４９】
制御装置５は、手順Ｓ２０ａ、Ｓ２１ａ、Ｓ２２ａ、Ｓ２３ａ、Ｓ２０ｂ、Ｓ２１ｂ、Ｓ２２ｂ、Ｓ２３ｂにおいて行先階を設定した後、ドアを閉じて乗りかご１を設定した行先階へ走行させ（Ｓ２４）、乗りかご１が行先階に到着したかどうかを確認する（Ｓ２５）。このとき、制御装置５は、乗りかご１が行先階に到着していないことを確認すると、手順Ｓ２４の動作を繰返し行う。
【００５０】
一方、手順Ｓ２５において制御装置５は、乗りかご１が行先階に到着したことを確認すると、乗りかご１が停止するので（Ｓ２６）、ドアを開くと共に、点灯させていた上昇方向灯１６又は下降方向灯１７を消灯させる。そして、利用者が乗りかご１から目的の行先階の乗場へ降車し、本実施形態の動作を終了する。
【００５１】
このように構成した本実施形態によれば、乗場で待機している利用者がエレベーターを利用して上層階へ向かう場合には、乗場の上昇乗場呼び釦１１Ｕ，１２Ｕ，１３Ｕを操作する。このとき、操作盤１０において下から上に向かって順に配列された第１の行先階釦１１Ｃ、第２の行先階釦１２Ｃ、第３の行先階釦１３Ｃ、及び第４の行先階釦１４Ｃの入力信号が行先階釦信号入力切替装置２３によって最端階の４階、次の端階の３階、２階、１階への入力信号にそれぞれ切替るので、子供等の身長が低い利用者であっても上層階へ向かう行先階釦に手を十分に届かせることができる。
【００５２】
また、乗場で待機している利用者がエレベーターを利用して下層階へ向かう場合には、乗場の下降乗場呼び釦１２Ｄ，１３Ｄ，１４Ｄを操作する。このとき、操作盤１０において下から上に向かって順に配列された第１の行先階釦１１Ｃ、第２の行先階釦１２Ｃ、第３の行先階釦１３Ｃ、及び第４の行先階釦１４Ｃの入力信号が行先階釦信号入力切替装置２３によって最端階の１階、次の端階の２階、３階、４階への入力信号にそれぞれ切替るので、子供等の身長が低い利用者であっても下層階へ向かう行先階釦に手を十分に届かせることができる。
【００５３】
その際、第１の行先階釦１１Ｃ、第２の行先階釦１２Ｃ、第３の行先階釦１３Ｃ、及び第４の行先階釦１４Ｃに隣接して配置された表示装置１５に行先階を示す１〜４の数字が行先階釦信号入力切替装置２３によって切替えられた行先階に合わせて表示されるので、子供や大人も含めた利用者が操作盤１０における行先階の指定の仕方を容易に把握することができ、違和感なく利用することができる。このように、本実施形態に係る操作盤１０は、特殊な釦を付加することもないので、コストを抑えつつ、子供等の身長の低い利用者でも釦操作を容易に実行することができる。
【００５４】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５５】
また、本実施形態は、図１に示すように第１の行先階釦１１Ｃ、第２の行先階釦１２Ｃ、第３の行先階釦１３Ｃ、及び第４の行先階釦１４Ｃと、表示装置１５とが分離して配置された場合について説明したが、この場合に限らず、例えば各行先階釦１１Ｃ，１２Ｃ，１３Ｃ，１４Ｃと、表示装置１５とが合体したタッチパネル機能を有した液晶を使用したり、あるいは各行先階釦１１Ｃ，１２Ｃ，１３Ｃ，１４Ｃの頂部に数字や文字表示が可能なＬＥＤを使用した表示機能を有するようにしてもよい。
【符号の説明】
【００５６】
１  乗りかご
５  制御装置
１０  操作盤
１１Ｃ  第１の行先階釦
１１Ｕ，１２Ｕ，１３Ｕ  上昇乗場呼び釦
１２Ｃ  第２の行先階釦
１２Ｄ，１３Ｄ，１４Ｄ  下降乗場呼び釦
１３Ｃ  第３の行先階釦
１４Ｃ  第４の行先階釦
１５  表示装置
２０  操作盤制御装置
２１  通信手段
２２  表示切替装置
２３  行先階釦信号入力切替装置
【図１】
2014034449.tif 000003
【図２】
2014034449.tif 000004